(57)【要約】【課題】キッチンペーパー等のロールペーパーの脱落が極めて起こりにくく、また、ロールペーパーの設置が容易であり、破損の起こりにくいロールペーパーホルダーを提供すること。【解決手段】ロールペーパーホルダーは、吊り下げ部材２０と、ロールペーパー保持部材３０とを有し、ロールペーパーＰを略水平に保持する。ロールペーパー保持部材３０は、弾性を有する閉じた形状の部材を、水平保持部において切断したものであり、通常時には、短い方の水平保持部３１Ａと長い方の水平保持部３１Ｂの先端同士が略接触した状態となるので、ロールペーパーの脱落が極めて起こりにくい。【選択図】図３
0003201103.tif 000002
【実用新案登録請求の範囲】
【請求項１】
吊り下げ部材と、ロールペーパー保持部材とを有し、ロールペーパーを略水平に保持するロールペーパーホルダーであって、
該ロールペーパー保持部材は、弾性を有する閉じた形状の部材を、水平保持部において切断したものであり、通常時には、切断部の先端同士が略接触するものであることを特徴とするロールペーパーホルダー。
【請求項２】
上記ロールペーパーは、キッチンペーパーである請求項１に記載のロールペーパーホルダー。
【請求項３】
上記吊り下げ部材は、回転機構を有するものである請求項１又は請求項２に記載のロールペーパーホルダー。
【請求項４】
切断された水平保持部のうち、短い方の水平保持部の長さと、長い方の水平保持部の長さの比は、１：２〜１：１である請求項１ないし請求項３の何れかの請求項に記載のロールペーパーホルダー。
【請求項５】
上記ロールペーパー保持部材は、ポリエチレン、ポリプロピレン、ポリスチレン、アクリル樹脂、ポリカーボネート又はポリ塩化ビニルで構成されるものである請求項１ないし請求項４の何れかの請求項に記載のロールペーパーホルダー。
【考案の詳細な説明】
【技術分野】
【０００１】
本考案は、キッチンペーパー等を保持するためのロールペーパーホルダーに関し、更に詳しくは、ロールペーパー保持部材の材質・形状を特定のものとすることによって、ロールペーパーの設置が容易であり、かつ、脱落が極めて起こりにくいロールペーパーホルダーに関する。
【背景技術】
【０００２】
キッチンペーパーは、台所等において、調理器具や食器に付着した油分の拭き取り、天ぷら等の敷き紙、煮物等の灰汁（あく）の除去等の用途に使用される使い捨ての紙である。
キッチンペーパーには、ティッシュペーパーのように箱型のものと、トイレットペーパーのようにロール型のものがあり、ロール型のキッチンペーパーはコスト面から有利である。
【０００３】
ロール型のキッチンペーパーを固定する方法としては、特許文献１等で開示されているような、基台（スタンド）に垂直なポールを設け、ロールの芯をポールに挿入して使用する縦置きの方法が挙げられる。
しかし、このような方法は、基台（スタンド）を置くスペースが必要になる。狭い台所には、このようなスペースを設ける余裕がない場合が多い。
【０００４】
特許文献２や特許文献３には、台所の壁面を利用して、ロール型のキッチンペーパーを水平に固定する方法が記載されている。
特許文献２の第７図や特許文献３の図６に従来技術として記載された方法では、ロールの芯を保持する部材（アーム）は、その一端において壁面と接続されており、開放された他端側からロールを挿入している。開放された他端側は、ロールの脱落を防止すべく、爪状にせり上がっている。
また、特許文献２の第２図や第６図、特許文献３の図１〜４に記載の方法では、ロールが保持される空間の両側に、芯を保持する部材（アーム）を設け、両側からロールの芯を保持している。
【０００５】
しかしながら、特許文献２や特許文献３の方法では、両側に設けられたアーム同士の間にはスペースがあることから、ロールからキッチンペーパーを巻き出す際の振動で、ロールがアームから外れ、脱落してしまうことがある。また、特許文献２や特許文献３において従来技術として記載された方法も、爪状部分の効果は脱落防止のためには不十分な場合が多く、ロールが脱落してしまうことがある。
脱落したキッチンペーパーが落下した場所が流し等であった場合、キッチンペーパーは濡れてしまい、もはや使い物にならない。運良く水の無い場所に落下し濡れなかったとしても、キッチンペーパーは食品に触れるものであるため、一度落下したものを使用するのは衛生上好ましくない。
【０００６】
キッチンペーパーではなく、トイレットペーパーの固定方法として、心棒を両側から固定するアームの片方を固定アームとし、もう一方を開閉可能とし、心棒と開閉可能なアームをマグネットで固定する方法（特許文献４参照）や、回動機構を介して突設した支持アームの先端の凸部を、支持ブラケットの係合凹溝に係合させて固定する方法（特許文献５参照）がある。
【０００７】
これらの方法は、通常であれば、特許文献２や特許文献３の方法のように、ロールペーパーの落下が起こることは少ないが、固定部が破損した場合は、ホルダーはもはや使用不可能となってしまう。
キッチンペーパーのような幅の長いロールペーパーの場合、ロールペーパーを固定するアームも長くなるため、形状に歪みが生じやすくなることから、とりわけ破損が起こりやすい。
【０００８】
まだ十分に残部のあるキッチンペーパーを、脱落による落下が原因で交換しなくてはならないのは不経済であり、また、破損が起こらず、長く使用することのできる固定方法が望まれ、かかる公知技術には、改善の余地があった。
【先行技術文献】
【特許文献】
【０００９】
【特許文献１】特開２００５−２７０２５４号公報
【特許文献２】実開平３−０８００５０号公報
【特許文献３】特開平８−３２２７６０号公報
【特許文献４】実開平５−０８２３９５号公報
【特許文献５】実開平３−０５３１９３号公報
【考案の概要】
【考案が解決しようとする課題】
【００１０】
本考案は上記背景技術に鑑みてなされたものであり、その課題は、ロールペーパーの脱落が起こりにくく、また、ロールペーパーの設置が容易であり、破損の起こりにくいロールペーパーホルダーを提供することにある。
【課題を解決するための手段】
【００１１】
本考案者は、上記の課題を解決すべく鋭意検討を重ねた結果、弾性を有する閉じた形状（例えば、環状）の部材の一部を切断すると、芯を持つロール状の物品を該閉じた形状の部材に容易に挿入することができ、また、該ロール状の物品を挿入した後は、該閉じた形状の部材は、自然と元の形状に戻り、切断部の先端同士が略接触した状態になるため、該ロール状の物品は、該閉じた形状の部材から極めて脱落しにくいことを見出し、本考案を完成するに至った。
【００１２】
すなわち、本考案は、吊り下げ部材と、ロールペーパー保持部材とを有し、ロールペーパーを略水平に保持するロールペーパーホルダーであって、
該ロールペーパー保持部材は、弾性を有する閉じた形状の部材を、水平保持部において切断したものであり、通常時には、切断部の先端同士が略接触するものであることを特徴とするロールペーパーホルダーを提供するものである。
【考案の効果】
【００１３】
本考案によれば、ロールペーパーの脱落が極めて起こりにくく、また、ロールペーパーの設置が容易であり、破損の起こりにくいロールペーパーホルダーを提供することができる。
【図面の簡単な説明】
【００１４】
【図１】本考案のロールペーパーホルダーを示す概略図である。
【図２】本考案のロールペーパーホルダーにロールペーパーを設置する途中の状態を示す概略図である。
【図３】本考案のロールペーパーホルダーにロールペーパーを設置した状態を示す概略図である。
【考案を実施するための形態】
【００１５】
以下、本考案について説明するが、本考案は以下の実施の形態に限定されるものではなく、任意に変形して実施することができる。
【００１６】
本考案のロールペーパーホルダーの一例を図１に示す。ロールペーパーホルダー１０は、吊り下げ部材２０と、ロールペーパー保持部材３０とを有し、ロールペーパーを略水平に保持する。
【００１７】
吊り下げ部材２０は、ロールペーパーホルダー１０を吊り下げるために使用される。
図１には、一例として、ハンガー等に用いられているフック状のものを示したが、ロールペーパーホルダー１０を吊り下げて使用することができるものであれば、図１に示したものに限定されるわけではない。
図１に示すフック状の吊り下げ部材２０は、壁や天井等に設置された固定具に掛けて使用する。
【００１８】
壁や天井等に設置された固定具の種類に特に限定はなく、例えば、吸盤式のフックやマグネット式のフック、壁と壁との間に設けられた突っ張り棒等の公知の固定具が使用できる。
固定具は、ロールペーパーの占めるスペース等を考慮し、適宜選択される。特に、吸盤式のフックやマグネット式のフックを壁に固定して使用する場合、壁から比較的長く突き出たものを使用すると、ロールペーパーが多く残っている状態でも、壁と接触等しにくいので、衛生的である。
【００１９】
吊り下げ部材２０は、回転機構を有していることが好ましい。例えば、図１に示すようなフック状の吊り下げ部材２０の場合、吊り下げ部材２０の付け根の部分が３６０°回転可能となっているのが好ましい。
ロールペーパーＰをロールペーパーホルダー１０に設置する際には、当然、正面側からロールペーパーを巻き出せるような向きに取り付ける必要があるが、吊り下げ部材２０が回転機構を有していれば、ロールペーパーＰを取り付ける際に向きを考えずに適当な向きで取り付けても差し支えなくなる。また、回転機構があれば、右利きの人でも左利きの人であっても取り付けがしやすい。
【００２０】
ロールペーパー保持部材３０は、吊り下げ部材２０により吊り下げられた際に、ロールペーパーＰを略水平に保持するための部分（水平保持部３１）を有している。
ロールペーパー保持部材３０は、弾性を有する閉じた形状の部材を、水平保持部３１において切断したものである。
ロールペーパー保持部材３０は弾性を有するので、ロールペーパーＰを設置し（取り付け）たり、ロールペーパーＰ（又はロールペーパーＰ使用後の芯）を取り外したりする際等に、必要以上に変形（開く）等して、屈曲部に無理な力を加えない限り、使用時には元の形状に戻り、切断部３２の先端同士が略接触した状態となる。
本考案のロールペーパーホルダーは、閉じた形状の部材の弾性を利用して、ロールペーパーＰ（の芯）の取り付けや取り外しを行うので、構造が極めて単純で安価に製造できるにもかかわらず、ロールペーパー（の芯）の着脱が極めて容易である。
【００２１】
通常時（ロールペーパーＰの取り付けや取り外しの作業を行う時以外）には、水平保持部の切断部３２の先端同士は略接触している。
「略接触」とは、切断部３２の先端同士が接触している状態だけでなく、切断部３２の先端同士が非常に近くに位置する場合も含まれる。
すなわち、ロールペーパー保持部材３０は、弾性を有するので、無理な力を加えて変形させない限り、通常時には、自然と元の形状に戻り、切断部３２の先端同士が接触した状態となるが、ロールペーパー保持部材３０に変形を加え、通常時に切断部３２の先端同士が接触していないものの、先端同士が非常に近くに位置するような場合が、本考案の範囲外となるものではない。
【００２２】
「閉じた形状の部材」とは、１周した形状であれば、どのような形状であってもよい。本考案は、弾性を有する閉じた形状の部材を１箇所切断したため、切断部３２から極めて容易にロールペーパーＰの取り付けや取り外しを行うことができ、通常時には、ロールペーパーＰの脱落が起こらない。
【００２３】
ロールペーパー保持部材３０の水平保持部３１以外の部分は、無理なくロールペーパーＰを設置できればどのような形状でもよい。
ロールペーパー保持部材３０は、例えば、図１に示したような五角形状でもよいし、矩形状でもよいし、台形状でもよい。
【００２４】
ロールペーパー保持部材３０の水平保持部３１は、ロールペーパーＰを略水平に保持するための、直線となっている部分である。水平保持部３１は、１箇所で切断されている。
上記のように、通常時においては、切断部３２の先端同士は略接触している。
【００２５】
水平保持部３１の切断部３２の位置に特に限定はないが、切断された水平保持部３１のうち、短い方の水平保持部３１Ａの長さと、長い方の水平保持部３１Ｂの長さの比は、１：２〜１：１であることが好ましく、１：１．５〜１：１であることがより好ましく、１：１．２〜１：１であることが特に好ましい。
上記範囲内であることにより、ロールペーパーＰを取り付け又は取り外しする際に、閉じた形状の部材を必要以上に変形（開く）等して無理な力を加える必要が無いため、取り付け又は取り外しが容易であり、また、破損が起こりにくい。
【００２６】
水平保持部３１の長さ（切断前の直線部分の長さ。以下同じ。）は、１００ｍｍ以上５００ｍｍ以下が好ましく、１５０ｍｍ以上４００ｍｍ以下がより好ましく、２００ｍｍ以上３５０ｍｍ以下が特に好ましい。
上記範囲内であると、キッチンペーパー、トイレットペーパー等の様々なロールペーパー用としてロールペーパーホルダー１０を使用することができる。
【００２７】
また、当然ながら、水平保持部３１の長さは、使用するロールペーパーＰの幅よりも長いものであるが、水平保持部３１の長さとロールペーパーＰの幅の差は、１０ｍｍ以上１５０ｍｍ以下が好ましく、２０ｍｍ以上１００ｍｍ以下がより好ましく、３０ｍｍ以上５０ｍｍ以下が特に好ましい。
上記差の下限が上記以上であると、取り付け時や取り外し時に無理な力を加える必要が無く、破損しにくい。上記差の上限が上記以下であると、取り付けたロールペーパーＰの水平方向の位置が安定し、また、無駄な空間を占有しない。
【００２８】
切断部３２の断面形状は、どのようなものであってもよく、例えば、円形であってもよいし、三角形や四角形であってもよい。
切断部３２の断面積は、２０ｍｍ２以上３００ｍｍ２以下が好ましく、３０ｍｍ２以上２００ｍｍ２以下がより好ましく、５０ｍｍ２以上１００ｍｍ２以下が特に好ましい。
断面積が上記範囲内であると、強度が十分であり、また、取り付け作業や取り外し作業を行う際に水平保持部３１を曲げやすい。
【００２９】
また、ロールペーパー保持部材３０は、全周にわたってその断面形状、断面積が略同一であることが好ましい。ロールペーパー保持部材３０の断面形状が、全周にわたって円形であると、ロールペーパー保持部材３０を掴んだ際に手を傷めにくいので特に好ましい。
【００３０】
ロールペーパーＰを取り付ける際には、例えば、図２に示すように、まず、水平保持部３１に若干の力を加えて、切断部３２の先端同士をずらし、長い方の水平保持部３１Ｂに、ロールペーパーＰの芯を挿入する。その後、短い方の水平保持部３１Ａに、ロールペーパーＰの芯を挿入することで、図３のようにロールペーパーＰが保持される。
使用済み等により、ロールペーパーＰ（の芯）を取り外す際には、逆に、短い方の水平保持部３１ＡからロールペーパーＰの芯を外すことで図２のような状態にした後、長い方の水平保持部３１ＢからロールペーパーＰの芯を外す。
ロールペーパー保持部材３０は、弾性を有するので、大きな力を加えなくても、切断部３２の近傍を容易に曲げることができ、取り付け及び取り外し作業を容易に行うことができる。
【００３１】
ロールペーパーＰが保持された状態において、弾性を有するロールペーパー保持部材３０は、自然と元の形状に戻るので、切断部３２の先端同士は略接触した状態となる。
このため、本考案では、特許文献２や特許文献３の方法（ロールペーパーを支えるアーム同士は接触していない）とは異なり、ロールペーパーＰを巻き出した際の振動で、ロールペーパーＰが脱落することがない。
【００３２】
なお、上記した取り付け方法、取り外し方法は、一例を示したものであり、別の取り付け方法にしてもよい。
例えば、ロールペーパーＰを取り付ける際に、先に短い方の水平保持部３１ＡにロールペーパーＰの芯を挿入し、その後、長い方の水平保持部３１ＢにロールペーパーＰの芯を挿入してもよい。
【００３３】
ロールペーパー保持部材３０の材質は、弾性を有していればどのようなものであってもよく、例えば、ポリエチレン、ポリプロピレン、ポリスチレン、アクリル樹脂、ポリカーボネート、ポリ塩化ビニル等が挙げられる。
【００３４】
ロールペーパー保持部材３０と吊り下げ部材２０の材質は同一であっても、異なっていてもよい。
吊り下げ部材２０の材質は、ロールペーパーホルダー１０を吊り下げることができれば、特に限定はない。
【００３５】
ロールペーパー保持部材３０や吊り下げ部材２０は、意匠性を高めるために、着色されていたり、模様が施されたりしていてもよい。
【００３６】
本考案のロールペーパーホルダーにより保持される物は、ロール状のペーパーであれば特に限定はなく、キッチンペーパー、タオルペーパー、トイレットペーパー等が挙げられる。
キッチンペーパーは、一般的に、幅が長く、従来の固定方法では、ホルダーの破損等の問題が起こりやすい。また、台所で使用されるキッチンペーパーには、高度な衛生性が求められる。
脱落が極めて起こりにくく、破損することなく容易に固定を行えるといった特徴を持つ本考案のロールペーパーホルダーにより保持されるロールペーパーとしては、キッチンペーパーが非常に適している。
【実施例】
【００３７】
以下に、実施例及び比較例を挙げて本考案を更に具体的に説明するが、本考案は、その要旨を超えない限りこれらの実施例及び比較例に限定されるものではない。
【００３８】
（実施例１）
図１に示す形状のロールペーパーホルダー１０を作製した。吊り下げ部材２０とロールペーパー保持部材３０の材質はともにポリプロピレン製とした。ロールペーパー保持部材３０として、水平保持部３１の長さが３１０ｍｍであり、全周にわたり、断面が直径０．８ｍｍの円形状のものを使用した。水平保持部３１のほぼ中央を切断した。
【００３９】
幅が２２８ｍｍで、２２０ｍｍ毎にミシン目のついたキッチンペーパーロールを取り付け、図３のような状態とした。取り付け時に大きな力を加えることなく、容易に取り付けることができた。
壁に付けられた吸盤式のフックに、吊り下げ部材２０を引っかけて、キッチンペーパーロールが保持されたロールペーパーホルダー１０を設置した。
【００４０】
必要時に、キッチンペーパーをロールから巻き出し、ミシン目に沿って切断して使用した。振動等による、キッチンペーパーロールの脱落は全く起こらなかった。
全てのキッチンペーパーを消費後、ロールの芯を取り外した。取り外し時にも大きな力を加えることなく、容易に取り外すことができた。
【産業上の利用可能性】
【００４１】
本考案のロールペーパーホルダーは、キッチンペーパー等のロールペーパーの設置が極めて容易であり、ロールペーパーを衛生的に使用することができるため、レストラン・喫茶店等の厨房や、一般家庭の台所におけるキッチンペーパー等の固定等に広く利用されるものである。
【符号の説明】
【００４２】
１０    ロールペーパーホルダー
２０    吊り下げ部材
３０    ロールペーパー保持部材
３１    水平保持部
３１Ａ  短い方の水平保持部
３１Ｂ  長い方の水平保持部
３２    切断部
Ｐ      ロールペーパー
【図１】
0003201103.tif 000003
【図２】
0003201103.tif 000004
【図３】
0003201103.tif 000005